(57)【要約】      （修正有）【課題】エンクロージャーとしての筐体の形状に工夫を講じることによって定常波の発生や反射音の音漏れを軽減するスピーカーを提供する。【解決手段】円弧状の筒体でなるエンクロージャーとしての筐体１０の軸方向の両端部にスピーカー本体３０を軸方向で外向きに装備する。筐体１０に台座部１１を設けることによってスピーカーの姿勢を起立姿勢や横臥姿勢に載置することを可能にしておく。筐体１０の壁部に空気を流通させる開口部１４を設ける。スピーカー本体３０をインナーケースとしての誘導ダクト５１，６１に収容し、その誘導ダクト５１，６１に流線形状に絞られた出口５２，６２を設け、その出口５２，６２を開口部の形成箇所に向ける。【選択図】図１０
0003201338.tif 000002
【実用新案登録請求の範囲】
【請求項１】
エンクロージャーにダイナミック型のスピーカー本体が収容されてなるスピーカーであって、
円弧状の筒体でなる上記エンクロージャーとしての筐体の軸方向の両端部のそれぞれに、上記スピーカー本体が、上記軸方向で外向きに装備されていることを特徴とするスピーカー。
【請求項２】
上記筐体の外側に、当該スピーカーを、上記スピーカー本体が上向きになる起立姿勢に載置することを可能にする第１着座面と、上記スピーカー本体が横向きになる横臥姿勢に載置することを可能にする第２着座面とが設けられている請求項１に記載したスピーカー。
【請求項３】
上記筐体の軸方向中央部に、その筐体の内部空間を左右２つの独立した第１及び第２の空間に仕切る仕切り板が設けられている請求項１又は請求項２に記載したスピーカー。
【請求項４】
上記筐体の壁部に、筐体の内部空間と筐体外部とを連通させて空気流通を可能にする開口部が設けられている請求項１ないし請求項３のいずれか１項に記載したスピーカー。
【請求項５】
上記筐体の壁部の軸方向中央部に上記開口部が設けられていると共に、この開口部の形成箇所を挟む上記軸方向両側のそれぞれに、上記筐体の内部空間を、左右２つの独立した第１及び第２の空間とこれら２つの空間の間に位置して上記開口部に臨む第３の空間とに仕切る一対の仕切り板が設けられ、一方側の仕切り板に上記第１及び第３の空間を相互に連通する気流の第１通孔が具備され、他方側の仕切り板に上記第２及び第３の空間を相互に連通する気流の第２通孔が具備されている請求項４に記載したスピーカー。
【請求項６】
上記筐体の軸方向の両端部のそれぞれに装備されている上記スピーカー本体が、上記筐体に取り付けられたインナーケースとしての誘導ダクトに収容されていて、この誘導ダクトが流線形状に絞られた出口を有し、かつ、その出口が、上記開口部の形成箇所に向いている請求項４に記載したスピーカー。
【請求項７】
上記開口部に臨む筐体の内部空間の所定領域に吸音材が装填されている請求項４ないし請求項６のいずれか１項に記載したスピーカー。
【考案の詳細な説明】
【技術分野】
【０００１】
本考案は、スピーカー、特に、スピーカー本体の振動板の振動によって生じる背圧の脈動がエンクロージャの内部で定常波（定在波）を生じることを軽減するための対策が講じられたスピーカーに関する。
【背景技術】
【０００２】
図１１は従来例によるスピーカーの概略斜視図、図１２は図１１のスピーカーの概略縦断側面図である。図１１及び図１２のスピーカーはステレオタイプであり、密閉型のエンクロージャーとしての中空六面体でなる筐体１０の左右２箇所のスピーカー取付口２０，２０にそれぞれダイナミック型のスピーカー本体３０，３０が取り付けられている。
【０００３】
この種のスピーカーでは、スピーカー本体３０の後方がエンクロージャーで覆われて密閉されていることにより、スピーカー本体３０の振動板の背面から出る音が封止される構造になっている。そのため、筐体１０は、スピーカー本体３０の背部から筐体内空間Ｓに出る音が封じ込められてスピーカー本体３０の前面から筐体外部に出る音と干渉させないようにする機能を発揮する。
【０００４】
しかしながら、筐体１０の前面パネルと後面パネル同士及び左右の側面パネル同士が正対していること、及び各パネルが平板状であることにより、スピーカー本体３０の背部から筐体内空間Ｓに出る音が、上記の各パネルで反射する音が合成して、スピーカーの音質に悪い影響を与える矢印で例示したような定常波（定在波）を発生したり、中高音域の反射音が筐体１０の外部に漏れたりするという問題があると云われている。定常波（定在波）とは、波長や周期、振幅などが同じで進行方向が互いに逆向きの２つの波が重なり合うことによってでき、波形が進行せずにその場に止まって振動しているように見える波動のことである。
【０００５】
一方、先行例としての特許文献１には、中空六面体のキャビネット（エンクロージャーに相当する。）の内部を、仕切り部材によって第１空間と第２空間とに分割し、第１空間の前面パネルにダイナミック型のスピーカー手段（スピーカー本体に相当する。）を設け、仕切り部材にドローンコーンを設け、第２空間の前面パネルにポート管を設けてなるスピーカーシステムが開示されている。このスピーカーシステムにおいて、ポート管はヘルツホルム共鳴の原理でスピーカー本体の背部へ放出された低音域の音を共振増強して筐体の外部へ放出する作用を発揮する。
【０００６】
特許文献１に示されているスピーカーシステムに見られるように、従来より周知のスピーカーは、エンクロージャーとしての筐体が中空六面体によって構成されていたため、上記したように、定常波（定在波）が発生したり、中高音域の反射音が筐体の外部に漏れたりするという問題があるとされていた。そこで、定常波の発生や反射音の音漏れを軽減するための対策として、筐体の内部に吸音材（消音材）を装填するという対策が講じられることもあった。
【先行技術文献】
【特許文献】
【０００７】
【特許文献１】実開平３−５１５９８号公報
【考案の概要】
【考案が解決しようとする課題】
【０００８】
本考案は、以上の状況に鑑みてなされたものであり、エンクロージャーとしての筐体の形状に工夫を講じることによって定常波の発生や反射音の音漏れを軽減することを目的とする。また、本考案は、工夫された筐体の形状に一定の対策を追加することによって、定常波の発生や反射音の音漏れをいっそう軽減することを目的とする。
【課題を解決するための手段】
【０００９】
本考案に係るスピーカーは、エンクロージャーにダイナミック型のスピーカー本体が収容されてなるスピーカーであって、円弧状の筒体でなる上記エンクロージャーとしての筐体の軸方向の両端部のそれぞれに、上記スピーカー本体が、上記軸方向で外向きに装備されているというものである。
【００１０】
このように構成されたスピーカーによると、エンクロージャーとしての筐体が円弧状の筒体によって構成されていることにより、筒状のエンクロージャー内部は曲面で構成され、また、対向する壁面同士も曲面が対向するに過ぎないので、スピーカー本体の背部から筐体内空間に出る音が反射しても音が合成されにくくなるので、そのことが、定常波の発生を抑制することに役立つだけでなく、それだけ中高音域の反射音も発生しにくくなる。
【００１１】
本考案では、上記筐体の外側に、当該スピーカーを、上記スピーカー本体が上向きになる起立姿勢に載置することを可能にする第１着座面と、上記スピーカー本体が横向きになる横臥姿勢に載置することを可能にする第２着座面とが設けられていることが望ましい。この構成であると、当該スピーカーの利用者の好みに応じてスピーカー本体の向きを変えられ、利用者に聞こえる音を当該スピーカーの姿勢によって変化させることが可能になる。
【００１２】
本考案では、上記筐体の軸方向中央部に、その筐体の内部空間を左右２つの独立した第１及び第２の空間に仕切る仕切り板が設けられている、という構成を採用することが可能である。この構成によると、円弧状の筒体でなるエンクロージャーとしての筐体の軸方向の両端部のそれぞれに装備されているスピーカー本体が、それらに個別の独立した第１及び第２の空間の内部に位置しているので、両方のスピーカー本体の背部から出た音同士が干渉して音質を低下させるという事態が生じにくくなる。
【００１３】
本考案では、上記筐体の壁部に、筐体の内部空間と筐体外部とを連通させて空気流通を可能にする開口部が設けられていることが望ましい。この構成であると、開口部が上記特許文献１に示されているポート管の作用を発揮する。そのため、ヘルツホルム共鳴の原理でスピーカー本体の背部へ放出された低音域の音を共振増強して筐体の外部へ放出する作用が奏される。
【００１４】
本考案では、上記筐体の壁部の軸方向中央部に上記開口部が設けられていると共に、この開口部の形成箇所を挟む上記軸方向両側のそれぞれに、上記筐体の内部空間を、左右２つの独立した第１及び第２の空間とこれら２つの空間の間に位置して上記開口部に臨む第３の空間とに仕切る一対の仕切り板が設けられ、一方側の仕切り板に上記第１及び第３の空間を相互に連通する気流の第１通孔が具備され、他方側の仕切り板に上記第２及び第３の空間を相互に連通する気流の第２通孔が具備されている、という構成を採用することが可能である。この構成によっても、両方のスピーカー本体の背部から出た音同士が干渉して音質を低下させるという事態が生じにくくなる。
【００１５】
本考案では、上記筐体の軸方向の両端部のそれぞれに装備されている上記スピーカー本体が、上記筐体に取り付けられたインナーケースとしての誘導ダクトに収容されていて、この誘導ダクトが流線形状に絞られた出口を有し、かつ、その出口が、上記開口部の形成箇所に向いている、という構成を採用することが望ましい。この構成によると、両方のスピーカー本体の背部から出た音同士が干渉して音質を低下させるという事態が生じにくくなると共に、スピーカー本体の背部に出た音が、誘導ダクトの流線形状に絞られた出口から出ると、その出口から出た音が誘導ダクトの内部に戻りにくい。そのため、出口から出た音が誘導ダクトの内部に戻ることによるスピーカー本体の音質の低下を抑制することに役立つ。また、誘導ダクトの内壁は全て曲面で構成されていることから、定常波の発生を抑制することに役立つ。
【００１６】
本考案では、上記開口部に臨む筐体の内部空間の所定領域に吸音材が装填されていることが望ましい。この構成を採用すると、定常波の発生や反射音の音漏れがいっそう軽減される。
【考案の効果】
【００１７】
以上のように、本考案に係るスピーカーによると、エンクロージャーとしての筐体の形状によって、定常波の発生や反射音の音漏れが軽減されるという効果が奏される。
【図面の簡単な説明】
【００１８】
【図１】本考案の第１実施形態に係るスピーカーを示した斜視図である。
【図２】図１のスピーカーを起立姿勢に載置した状態の説明図である。
【図３】図１のスピーカーを横臥姿勢に載置した状態の説明図である。
【図４】図１のスピーカーの縦断正面図である。
【図５】本考案の第２実施形態に係るスピーカーを示した縦断正面図である。
【図６】図５のスピーカーの縦断側面図である。
【図７】変形例の要部を示した縦断側面図である。
【図８】本考案の第３実施形態に係るスピーカーの縦断正面図である。
【図９】本考案の第４実施形態に係るスピーカーの縦断正面図である。
【図１０】本考案の第５実施形態に係るスピーカーの縦断正面図である。
【図１１】従来例によるスピーカーの概略斜視図である。
【図１２】図１１のスピーカーの概略縦断側面図である。
【考案を実施するための形態】
【００１９】
図１は本考案の第１実施形態に係るスピーカーを示した斜視図、図２は図１のスピーカーを起立姿勢に載置した状態の説明図、図３は図１のスピーカーを横臥姿勢に載置した状態の説明図、図４は図１のスピーカーの縦断正面図である。
【００２０】
図１又は図４に示したように、この実施形態に係るスピーカーは、ダイナミック型の一対のスピーカー本体３０，３０を備えたステレオタイプであって、エンクロージャーとしての筐体１０の軸方向の両端部のそれぞれに、上記スピーカー本体３０，３０が上記軸方向で外向きに装備されている。筐体１０は円弧状の筒体でなる。また、筐体１０の軸方向中央部外側に台座部１１が設けられている。図２及び図３に示したように、この台座部１１は、互いに直交する第１及び第２の着座面１２，１３を有している。そして、第１着座面１２を利用してスピーカーを床面やテーブル面などの固定面（不図示）に載置すると、図２のようにスピーカーが起立姿勢になってスピーカー本体３０が上向きになる。また、第２着座面１３を利用して上記固定面（不図示）に載置すると、図３のようにスピーカーが横臥姿勢になってスピーカー本体３０が横向きになる。したがって、利用者の好みに応じてスピーカー本体３０の向きを変えることができ、利用者に聞こえる音をスピーカーの姿勢によって変化させることも可能になる。
【００２１】
このように構成されたスピーカーによると、スピーカー本体３０からその前方に向けて出た音は、筐体１０の端部開口を経て筐体１０の外部に放出される。これに対し、スピーカー本体３０の振動板が振動してその背部の内部空間Ｓに出た音は、図４に矢印によって例示したように、筐体１０の内面に衝突したり反射したりする。この場合、筐体１０が軸方向で円弧状に湾曲しているために、筐体１０の内面に衝突したり反射したりする音の大部分が筐体１０の内面の曲面に衝突して拡散して反射したりすることになる。そのため、筐体１０の内面で衝突したり反射したりする音が合成する現象が生じにくくなり、それだけ定常波の発生が抑制され、中高音域の反射音も発生しにくくなる。その結果、この実施形態のスピーカーによると、エンクロージャーとしての筐体１０が円弧状の筒体によって構成されているというだけで定常波の発生や反射音の音漏れが軽減されることになり、音質のよいスピーカーを提供することが可能になる。図示していないけれども、このような定常波抑制作用や反射音抑制作用は、筐体１０に、繊維質素材などでなる吸音材（消音材）を装填しておくことによっていっそう顕著に発揮される。
【００２２】
図５は本考案の第２実施形態に係るスピーカーを示した縦断正面図、図６は図５のスピーカーの縦断側面図、図７は変形例の要部を示した縦断側面図である。この実施形態は、上記した第１実施形態のスピーカーにおいて、筐体１０の壁部に開口部１４を設けたものに相当している。開口部１４は、筐体１０の内部空間と筐体１０の外部とを連通させて空気流通を可能にする機能を発揮する。
【００２３】
この実施形態のスピーカーによると、開口部１４が、ヘルツホルム共鳴の原理でスピーカー本体３０の背部へ放出された低音域の音を共振増強して筐体１０の外部へ放出する作用を発揮する。そのため、上記第１実施形態のスピーカーによって発揮される定常波抑制作用や反射音抑制作用が、開口部１４による低音域の音を共振増強して筐体の外部へ放出する作用と相乗して、スピーカーの音質がさらに向上することになる。この第２実施形態のスピーカーについても、筐体１０に、繊維質素材などでなる吸音材（消音材）を装填しておくことによって、定常波抑制作用や反射音抑制作用がいっそう顕著に発揮されるようになる。特に、この第２実施形態では、筐体１０の壁部の軸方向中央部に開口部１４を設けている。そのため、左右一対のスピーカー本体３０，３０のそれぞれからそれらの背部に出る逆相の音が、図６に矢印で示したようにバランスよく外部に逃がされる。これによって、定常波抑制作用や反射音抑制作用が発揮されやすくなる。なお、この第２実施形態では、図７のように、開口部１４をポート管によって形成しておいてもよいことは勿論である。
【００２４】
図８は本考案の第３実施形態に係るスピーカーの縦断正面図である。この実施形態は、円弧状の筒体でなる筐体１０の軸方向中央部に仕切り板１５が設けられ、その仕切り板１５によって、その筐体１０の内部空間が左右２つの独立した第１及び第２の空間Ｓ１，Ｓ２に仕切られている。そして、筐体１の壁部における仕切り板１５の近傍箇所に、第１及び第２のそれぞれの空間Ｓ１，Ｓ２に面する開口部１４，１４がそれぞれ設けられている。この実施形態において、第１及び第２のそれぞれの空間Ｓ１，Ｓ２に面する開口部１４は、それぞれの空間Ｓ１，Ｓ２と筐体１０の外部とを連通させて空気流通を可能にする機能を発揮する。
【００２５】
この実施形態のスピーカーによると、仕切り板１５が第１空間Ｓ１及び第２空間Ｓ２で個別に生じる逆相の音の干渉を防ぐ作用を発揮する。しかも、各開口部１４，１４が、ヘルツホルム共鳴の原理で左右のスピーカー本体３０，３０の背部へ放出された低音域の音を共振増強して筐体１０の外部へ放出する作用を発揮する。そのため、上記した定常波抑制作用や反射音抑制作用が、開口部１４による低音域の音を共振増強して筐体の外部へ放出する作用と相乗して、スピーカーの音質がさらに向上することになる。この実施形態のスピーカーについても、筐体１０に、繊維質素材などでなる吸音材（消音材）を装填しておくことによって、定常波抑制作用や反射音抑制作用がいっそう顕著に発揮されるようになる。また、この実施形態においても、開口部１４をポート管によって形成しておいてもよい。
【００２６】
図９は本考案の第４実施形態に係るスピーカーの縦断正面図である。この実施形態は、円弧状の筒体でなる筐体１０の壁部の軸方向中央部に開口部１４が設けられている。また、この開口部１４の形成箇所を挟む筐体１０の軸方向両側のそれぞれに、筐体１０の内部空間を、左右２つの独立した第１及び第２の空間Ｓ１，Ｓ２とこれら２つの空間Ｓ１，Ｓ２の間に位置して開口部１４に臨む第３の空間Ｓ３とに仕切る一対の仕切り板１６，１７が設けられている。そして、一方側の仕切り板１６に第１及び第３の空間Ｓ１，Ｓ３を相互に連通する気流の第１通孔１８が具備され、他方側の仕切り板１７に第２及び第３の空間Ｓ２，Ｓ３を相互に連通する気流の第２通孔１９が具備されている。この実施形態において、第３空間Ｓ３に面する開口部１４は、第３空間Ｓ３と筐体１０の外部とを連通させて空気流通を可能にする機能を発揮する。
【００２７】
この実施形態のスピーカーによると、一対の仕切り板１６，１７が第１空間Ｓ１及び第２空間Ｓ２で個別に生じる逆相の音の干渉を防ぐ作用を発揮する。また、上記した定常波抑制作用や反射音抑制作用が、開口部１４による低音域の音を共振増強して筐体の外部へ放出する作用と相乗して、スピーカーの音質がさらに向上することになる。この実施形態のスピーカーについては、第３空間Ｓ３に、繊維質素材などでなる吸音材（消音材）を装填しておくことによって、定常波抑制作用や反射音抑制作用がいっそう顕著に発揮されるようになる。なお、この実施形態においても、開口部１４をポート管によって形成しておいてもよい。
【００２８】
図１０は本考案の第５実施形態に係るスピーカーの縦断正面図である。この実施形態では、図５に示した構成と同様に、円弧状の筒体でなる筐体１０の壁部の軸方向中央部に開口部１４が設けられている。開口部１４は、筐体１０の内部空間Ｓと筐体１０の外部とを連通させて空気流通を可能にする機能を発揮する。したがって、開口部１４が、ヘルツホルム共鳴の原理でスピーカー本体３０の背部へ放出された低音域の音を共振増強して筐体の外部へ放出する作用を発揮する。そのため、上記した定常波抑制作用や反射音抑制作用が、開口部１４による低音域の音を共振増強して筐体の外部へ放出する作用と相乗して、スピーカーの音質がさらに向上することになる。
【００２９】
この実施形態のスピーカーでは、開口部１４に臨む筐体１０の内部空間Ｓの所定領域に繊維質素材などでなる吸音材４０が装填されていて、その吸音材４０によって、定常波抑制作用や反射音抑制作用がいっそう顕著に発揮されるようになっている。また、この第５実施形態では、筐体１０の壁部の軸方向中央部に開口部１４を設けているため、左右一対のスピーカー本体３０，３０のそれぞれからそれらの背部に出る逆相の音が、バランスよく外部に逃がされるようになり、定常波抑制作用や反射音抑制作用が発揮されやすくなる。この実施形態でも、開口部１４をポート管によって形成しておいてもよい。
【００３０】
特に、この実施形態では、筐体１０の軸方向の両端部のそれぞれに装備されているスピーカー本体３０，３０が、筐体１０に取り付けられたインナーケースとしての誘導ダクト５１，６１に収容されていて、これらの誘導ダクト５１，６１が流線形状に絞られた出口５２，６２を有している、そして、それらの出口５２，６２が開口部１４の形成箇所に向いている。この構成を採用しておくことにより、左右の各スピーカー本体３０，３０の背部に出た音同士が干渉して音質を低下させるという事態が生じにくくなると共に、その出口５２，６２から出た音が誘導ダクト５１，６１の内部に戻りにくくなる。そのため、出口５２，６２から出た音が誘導ダクト５１，６１の内部に戻ることによるスピーカー本体３０，３０の音質の低下が抑制される。また、誘導ダクト５１，６１の内壁は全て曲面で構成されていることから、定常波の発生を抑制することに役立つ。
【００３１】
図１〜図１２において、同一又は相応する要素には同一符号を付すことによって構成の理解を容易にし、かつ、説明の重複を回避している。
【符号の説明】
【００３２】
１０  筐体
１２  第１着座面
１３  第２着座面
１４  開口部
１５  仕切り板
１６，１７  仕切り板
１８  第１通孔
１９  第２通孔
３０  スピーカー本体
５１，６１  誘導ダクト
５２，６２  出口
４０  吸音材
Ｓ  筐体の内部空間
Ｓ１  第１空間
Ｓ２  第２空間
Ｓ３  第３空間
【図１】
0003201338.tif 000003
【図２】
0003201338.tif 000004
【図３】
0003201338.tif 000005
【図４】
0003201338.tif 000006
【図５】
0003201338.tif 000007
【図６】
0003201338.tif 000008
【図７】
0003201338.tif 000009
【図８】
0003201338.tif 000010
【図９】
0003201338.tif 000011
【図１０】
0003201338.tif 000012
【図１１】
0003201338.tif 000013
【図１２】
0003201338.tif 000014